(57)【要約】  【課題】低温浴サウナ施設の部屋全体から高いヒーリング効果を得られる施設を提供することにより、人の味覚以外の感覚を刺激してより効果の高いヒーリング効果を得ることができる総合リラクゼーション施設を提供すること。  【解決手段】低温浴サウナ用のベッドを部屋内に設置し、ベッドに対する加温装置は人の体温に近い温度に加温可能に構成し、上記ベッドは音源に接続した骨伝導スピーカを装着して当該ベッドを音声発生源として構成して、少なくともベッド上に横たわる人に対する音響空間を形成しており、室内空間に対してアロマの香りを含めて給気する空調装置を具備していること。【選択図】          図１
2007185266.tif 000002
【特許請求の範囲】
【請求項１】
低温浴サウナ用のベッドを部屋内に設置し、ベッドに対する加温装置は人の体温に近い温度に加温可能に構成し、上記ベッドは音源に接続した骨伝導スピーカを装着して当該ベッドを音声発生源として構成して、少なくともベッド上に横たわる人に対する音響空間を形成しており、室内空間に対してアロマの香りを含めて給気する空調装置を具備していることを特徴とする総合リラクゼーション施設。
【請求項２】
室内空間には画像表示装置を設置して、上記音響空間と関連させて癒し効果の高い映像と音楽を供給可能に構成した請求項１記載の総合リラクゼーション施設。
【請求項３】
低温浴サウナ用のベッドは、大理石、タイル、御影石等の硬質部材にて形成した請求項１または２記載の総合リラクゼーション施設。
【発明の詳細な説明】
【技術分野】
【０００１】
この発明は、低温浴サウナとしてのリラクゼーション施設であって、人の五感のうち、味覚以外の感覚を刺激してヒーリング効果を得られる総合リラクゼーション施設に関する。
【背景技術】
【０００２】
従来、リラクゼーション施設としては、サウナを初めとして岩盤浴、スパ、エステ、温泉、銭湯等、種々の施設が提供されている。これらの施設のうち、高温サウナに比べて利用者の身体的負担が少なくリラクゼーション効果が高い低温浴施設が近年注目されている。低温浴が可能な施設の一例として岩盤浴施設があり、例えば、特開２００４‐１３００４７号公報に開示されている施設は、気密性断熱性のある部屋に床暖房システムを設置すると共に、人が横たわることが出来るように岩盤をベッド状に形成して設置したものである。
【０００３】
この岩盤浴施設は、岩盤に対して、トルマリン原石を混入したり、岩盤自体に微細孔を有する構造を採用したりすることによって（特開２００５‐３２９０４６号公報参照）、岩盤浴としての効能をより向上させるよう構成されている。
【特許文献１】特開２００４‐１３００４７号公報
【特許文献２】特開２００５‐３２９０４６号公報
【発明の開示】
【発明が解決しようとする課題】
【０００４】
しかしながら、これらの岩盤浴施設は、岩盤自体に対する改良はなされているものの、岩盤浴を行う部屋を含む全体の環境には特に改良がなされていないため、高いヒーリング効果を得ることができないものであった。
そこで、この発明は、低温浴サウナ施設の部屋全体から高いヒーリング効果を得られる施設を提供することにより、人の味覚以外の複数の感覚を刺激してより効果の高いヒーリング効果を得ることができる総合リラクゼーション施設を提供することを目的としている。
【課題を解決するための手段】
【０００５】
上記目的を達成するため、この発明の請求項１記載の総合リラクゼーション施設は、低温浴サウナ用のベッドを部屋内に設置し、ベッドに対する加温装置は人の体温に近い温度に加温可能に構成し、上記ベッドは音源に接続した骨伝導スピーカを装着して当該ベッドを音声発生源として構成して、少なくともベッド上に横たわる人に対する音響空間を形成しており、室内空間に対してアロマの香りを含めて給気する空調装置を具備していることを特徴としている。
【０００６】
また、この発明の請求項２記載の総合リラクゼーション施設は、室内空間には画像表示装置を設置して、上記音場空間に流す音楽と関連させて表示させることができ、癒し効果の高い映像と音楽を供給可能に構成していることを特徴としている。
さらに、この発明の請求項３記載の総合リラクゼーション施設は、低温浴サウナ用のベッドは、大理石、タイル、御影石等の硬質部材にて形成していることを特徴としている。
【発明の効果】
【０００７】
この発明の請求項１の構成によれば、低温浴サウナ用のベッドは、人の体温に近い温度としたベッドにより低温浴に最適な暖かさを付与することができ、人の触覚を刺激してリラックスさせることができる。また、ベッドに装着した骨伝導スピーカによってベッド上に音響空間を形成することができ、人の聴覚を通して心地よい音楽を聞かせることができる。この音響空間は、音源をベッドとすることにより、ベッド上の限定された空間のみに音場を形成することができるため、音源がベッド全体になることにより、小さな音で音楽を流すことができ、個々の利用者毎に最適な音響空間を提供することができる。また、小さな音で音楽を流すことができるので、隣りの人と会話をする際にも邪魔にならない。さらに、空調装置によって、室内を適温に保持すると共に、室内空間へアロマの香りを含めて給気することができるので、人の臭覚を刺激して香りを感じさせることができる。したがって、この発明によれば、人の複数の感覚を通して身体内側からリラックスさせることができ、ヒーリング効果の高い総合リラクゼーション施設を提供することができる。
【０００８】
また、この発明の請求項２記載の総合リラクゼーション施設によれば、ヒーリング効果のある映像を表示させることにより、上記の触覚、聴覚、臭覚に加えて視覚を通じてリラックスさせることができるようになり、より高いヒーリング効果を与えることができる。
さらに、この発明の請求項３記載の総合リラクゼーション施設によれば、低温浴サウナ用のベッドを大理石等の硬質部材で形成しているので音波の伝導率が高く、骨伝導スピーカを介して、最適な音響空間を提供することができる。
【発明を実施するための最良の形態】
【０００９】
この発明の好適な実施の形態を図面を参照して説明する。
この発明の総合リラクゼーション施設１は、既知の断熱仕様にて構成した室内２の床３に、低温浴サウナ用のベッドとなる岩盤４を設置し、当該ベッド状岩盤４に骨伝導スピーカ５を装着している。また、室内２の天井にはアロマの香りを含めて給気する空調装置６を設けており、室内２の壁には、動画を表示可能な映像表示装置７を設置している。
【００１０】
床３内には、温水を通すためのパイプ３１を設置し、パイプ３１には室外に設置した温水ヒーター３２を接続してあり、概ね３６〜４５℃とした人の体温に近い温水を通すよう構成した床暖房構造としたものである。したがって、このベッド状岩盤４上に人Ａが横たわって岩盤４からの直接熱と輻射熱とによって人が緩やかな暖かみを感ずることができるものであり、人は触覚を通して暖かみを感じリラックスできるものである。
【００１１】
ベッド状岩盤４は、単板で形成することもできるが、作業性を考慮してこの実施の形態では縦横５０ｃｍで厚みが２０ｍｍの方形大理石板を並べて全体が横１００ｃｍ縦２００ｃｍのベッドに構成してあり、この例では、床３上に直接配置した例を示している。ベッドの他の実施の形態としては、図２に表したように、床面よりやや高くしたコンクリート等にて形成した台３３上に、上記大理石板を敷いて形成することもできる。この構成の場合には、岩盤４下方にも温水パイプ３１を配置することにより岩盤４を適温に保持することができる。
【００１２】
ベッド状岩盤４に装着した骨伝導スピーカ５は、図３および図４に示すように、岩盤４の裏面側に密着させて、当該ベッド状岩盤４のみに音声振動を付与することができるように構成しており、このベッド状岩盤４上に横たわる人に対してだけ音響空間を提供することができるようになっており、人は心地よい音楽を聞くことによって聴覚を通してよりリラックスできるものである。
【００１３】
室内２に上記ベッド状岩盤４を複数設置する場合（図５参照）には、それぞれのベッド状岩盤４に対して骨伝導スピーカ５を装着することにより、ベッド状岩盤４毎に個別の音響空間を形成することができ、ベッド状岩盤４を利用する人に合わせた音楽を提供することができる。音源５１は複数の種類の音楽を提供することができるように複数のチャンネルを持ったものが好ましく、チャンネルと音量は各利用者にて選択・決定するよう構成することが望ましいが、必須のものではなく、提供者側で最適な音楽を選択して提供することもできる。
【００１４】
骨伝導スピーカ５は、岩盤４の裏面で、かつ人の頭部に近い位置に、一つの岩盤４当たり２個の骨伝導スピーカ５を密着させて設け、当該スピーカからの振動を岩盤４に伝導させて、岩盤４全体を音楽の発信源とすることができるものであり、岩盤４上に横たわる人に対して音響空間を形成することで、当該利用者だけに音楽を流すことができるものである。したがって、複数の音源を設けた場合でも、個々の利用者毎に独自の音響空間を設けることができ、利用者の好みに応じてよりきめの細かな音響空間を提供することができる。
【００１５】
骨伝導スピーカ５は、図４に示すように、床３にピット３４を形成して設置場所を確保すれば良く、このように構成することによりメンテナンスも容易となる。
なお、図２に示したようなベッド状岩盤４を台３３上に形成した場合には、図６に示すように、台３３内に骨伝導スピーカ５を装着することができる。
空調装置６は、給気ダクト６１を通して室内２へ新鮮な空気を給気することができるもので、ダクト６１の室内２への接続部分を介してアロマ供給部８を設けている。
【００１６】
アロマ供給部８は、給気ダクト６１内に設置したフィルタ８１と、このフィルタ８１に間欠的にアロマを供給するアロマ供給装置８２からなり、給気ダクト６１内を流れる空気にフィルタ８１に含浸されたアロマを混合させて室内２へアロマの香りを供給することができる。したがって、この構成の室内２では、人は臭覚によりヒーリング効果を得ることができる。
【００１７】
また、この室内２の壁２１には、プラズマディスプレイ、液晶ディスプレイ、プロジェクター等の映像表示装置７を設けており、上記骨伝導スピーカ５によって流れる音楽に関連してヒーリング効果のある映像を流すことができ、人の視覚を通してリラックスさせることができる。なお、この映像表示装置７は、この施設の利用者が目を閉じて利用するケースが多い場合には特に映像を表示しなくてもよく、必須の構成とするものではない。この映像表示装置７は、防水仕様であれば、直接室内２に設置できるが、壁２１に透明ガラスを嵌め込んで表示させることができる。
【００１８】
なお、室内２内を換気するための排気筒６２を設けることにより、屋内を新鮮な空気に保つことができる。また、室内２にイオン発生装置９を設置することにより、ヒーリング効果をより高めることができる。
この実施の形態では、低温浴サウナ用のベッド状岩盤４を設け、部屋２内と岩盤４とを低温浴に最適な温度に設定することにより、人の触覚を通して入浴時のような暖かさを付与することができる。また、岩盤４に装着した骨伝導スピーカ５によって岩盤４上のみに音響空間を形成することができ、心地よい音楽を聞くことにより人の聴覚を通してリラックスさせることができるものである。音場をベッド上だけに形成することができるので、小さな音で音楽を流すことができ、利用者毎に最適な音響空間を提供することができ、また、小さい音で充分聴取可能なので、隣りの人と会話をする際にも邪魔にならない。さらに、空調装置６によって、室内を快適温度に保持すると共に、室内空間へアロマの香りを含めて給気することができるので、心地よい香りを感ずることによって人の臭覚を通してリラックスさせることができる。さらに、この実施の形態では、映像表示装置７を設けているので、触覚、聴覚、臭覚に加えて視覚を通してリラックスさせることができるようになり、より高いヒーリング効果を与えることができる。したがって、人の複数の感覚、味覚を除く四感を通して身体内からリラックスさせることができ、ヒーリング効果のより高い総合リラクゼーション施設を提供することができる。
【００１９】
この発明では、低温浴サウナ用のベッドとしては、この実施の形態で示したように、所定の大きさに形成した大理石を敷設して形成したものの他、蓄熱コンクリートやタイル、御影石、スレート等、種々の素材を利用することができるものであり、上記した大理石板に限定されることなく、人が横たわって低温浴サウナが可能な素材で、かつ骨伝導スピーカを装着して音響空間を提供することができる硬質部材であれば、特に素材を限定するものではなく、木製のベッドも採用することできるものである。また、ベッドとしての形状は、人が横たわることができる形状のものを総称したものであり、脚の無い構成のものが設置が容易であるが、脚付であってもよく、上記したように台状のものでも良い。
【図面の簡単な説明】
【００２０】
【図１】この実施の形態の一例を示す概略図である。
【図２】この実施の形態の他の一例を示す概略図である。
【図３】ベッド状岩盤付近の平面図である。
【図４】ベッド状岩盤付近の要部断面図である。
【図５】ベッドを複数設置した例を示す概略平面図である。
【図６】ベッド上岩盤を台上に形成した例を示す要部断面図である。
【符号の説明】
【００２１】
１    総合リラクゼーション施設
２    室内
４    ベッド状岩盤
５    骨伝導スピーカ
６    空調装置
７    映像表示装置
８    アロマ供給部
【図１】
2007185266.tif 000003
【図２】
2007185266.tif 000004
【図３】
2007185266.tif 000005
【図４】
2007185266.tif 000006
【図５】
2007185266.tif 000007
【図６】
2007185266.tif 000008